(57)【要約】【課題】鉄塔、送電線の保守、点検に必須とされるアースフックを運搬するのに適した工具袋としての機能と、負傷者を搬送する際にアースフックを構成する棒材を利用した担架としての機能を併有した担架兼用工具バッグを提供する。【解決手段】略四辺形の工具バッグ本体２と、面内に被収容物を収容した状態で丸めた該工具バッグ本体の外面を縛束する背負いバンド３０と、を備えた工具バッグ１であって、工具バッグ本体の対向する２つの端縁には夫々棒材を着脱自在に保持する棒材保持部１５を備えている。【選択図】図１
2010274944.tif 000002
【特許請求の範囲】
【請求項１】
略四辺形の工具バッグ本体と、面内に被収容物を収容した状態で丸めた該工具バッグ本体の外面を縛束する背負いバンドと、を備えた工具バッグであって、
前記工具バッグ本体の対向する２つの端縁には夫々棒材を着脱自在に保持する棒材保持部を備えていることを特徴とする担架兼用工具バッグ。
【請求項２】
前記棒材保持部は、被収容物を収容する収容部を兼ねていることを特徴とする請求項１に記載の担架兼用工具バッグ。
【請求項３】
前記棒材保持部は、前記工具バッグ本体の前記２つの端縁に夫々配置された棒材保持専用の筒状部、又は複数の紐から成ることを特徴とする請求項１に記載の担架兼用工具バッグ。
【請求項４】
前記工具バッグ本体の一面には被収容物を収容するための収容部が形成され、他面はフラットに構成されていることを特徴とする請求項１乃至３の何れか一項に記載の担架兼用工具バッグ。
【請求項５】
前記工具バッグ本体の対向する他の２つの端縁には夫々ハンモック用吊り具を取り付けるための取付け部を備えていることを特徴とする請求項１乃至４の何れか一項に記載の担架兼用工具バッグ。
【発明の詳細な説明】
【技術分野】
【０００１】
本発明は主として山岳地帯に設置された鉄塔や、鉄塔間に架設された送電線を保守、点検するために作業員等が携行する工具袋を担架、或いはハンモック用として流用することを可能とする担架兼用工具バッグに関するものである。
【背景技術】
【０００２】
山岳地帯に設置された鉄塔や、鉄塔間に架設された送電線を作業員、監視員を含めた複数の人員が保守、点検するために巡視したり、或いは故障発生箇所に急行する際には、各人員が重量物である工具類を収容したバッグを背負って移動する必要がある。送電線を停電状態にした上で鉄塔上において行われる保守、点検作業は、アースフックと呼ばれる送電線作業保護具（乙種アース）を用いて送電線を接地させつつ実施されるため、通常、少なくとも１セットのアースフック（約９．５ｋｇ）を運搬する必要があるが、それ以外にも、工具、竿状の検電器、張線器（約１５ｋｇ）、資材類が携行される。
ところで、鉄塔上での保守、点検作業自体が危険である上に、山岳地帯では事故や自然災害、その他のトラブルに遭遇する危険が多く、従来、作業員等が怪我等によって歩行不能な状態に陥った場合には、健常な同行者が怪我人を背負って下山するのが一般であった。しかし、負傷者を背負って山岳地帯を移動することは、負傷者にとっても背負う人間にとっても労苦と危険を伴う苦痛に満ちた行為であり、この点の改善が求められていた。
特に、骨折、打撲、出血等の重傷者にとっては、応急処置を受けた後は担架に横臥した状態での搬送が最も理想的であり、搬送作業を行う人にとっても担架は理想的な搬送手段である。
しかし、上記のように作業員は、重いアースフック、工具、資材類を常に携行しているため、常時担架を携行することはできない。
このようなところから、特許文献１には、工具を収納して運搬するための工具袋を緊急時には負傷者を搬送する手段として転用できるようにした技術が開示されている。この工具袋は方形状の布製シートの上面に工具収納袋を備えると共に、布の四隅に環状の把持帯を突設した構成を備えている。負傷者を搬送する際には工具収納袋を空にした状態で布製シートの面上に負傷者を乗せ、四隅に夫々設けた把持帯を四人で把持して搬送することとなる。
【０００３】
しかし、この従来例にあっては、負傷者を安定して搬送するために必ず４名の人間が必要とされるため、負傷者を搬送する人手が４名に満たない場合には３名、或いは２名によって布製シートの四隅に設けた把持帯を把持して無理な姿勢で搬送作業を行う必要がある。例えば、３名であれば何とか搬送作業を遂行することが可能としても、負傷者の重傷度、搬送経路の周辺状況によっては２名では事実上搬送が不可能となる事態も想定される。また、４名に満たない人員によって山岳地を長時間に渡って不安定な姿勢で搬送する行為は、負傷者の苦痛を甚だしいものとするばかりでなく、搬送中における更なる事故を誘発する原因ともなる。更に、この布製シートからなる工具袋は、担架のように布製シートの両端縁を硬質材料から成る棒材によって支持した構成をとらないため、布製シートが負傷者の重量によって長手方向（負傷者の身長方向）へ撓み変形して大きく落ち込み易く、負傷者は布製シート上で屈した姿勢のまま長時間、山道を搬送されることとなる。このように搬送中に負傷者が布製シート上で身体を伸ばすことは難しく、負傷者に与える苦痛、ダメージが増幅されて症状を悪化させる虞がある。更に、この工具袋には、送電線を停電させた上で保守、点検を行う際に送電線を接地させるために必須とされる工具である上記アースフックを収容するための構成が開示されていない。このため、アースフックを運搬するためには別途専用の工具袋を使用する必要が生じ、荷物量が更に増大する原因となる。
【先行技術文献】
【特許文献】
【０００４】
【特許文献１】実用新案登録第３１１２５６８号
【発明の概要】
【発明が解決しようとする課題】
【０００５】
以上のように、山岳地帯に設置された鉄塔、及び鉄塔間に架設される送電線を保守、点検するための作業行程等において作業員が負傷した場合、健常な同行者が負傷者を背負って下山するのが一般的であったが、負傷者を背負っての長時間の歩行は負傷者、運搬者共に、労苦を伴う過酷な作業であったため、この点の改善が強く求められていた。特許文献１には工具袋を負傷者運搬手段に転用するための提案がなされているが、二本の棒材間にシートを差し渡した本来の担架の構成を採用しているものではないため、負傷者の損傷箇所に刺激を与えたり、種々の苦痛を与えずに山岳地帯を長時間搬送することは難しかった。また、運搬者にも著しい労苦を強いる結果となっている。また、４名によって運搬するのに適した構造であるため、同行者が４名に満たない場合、特に２名しかいない場合には事実上運搬が不可能となる事態も想定される。
本発明は上記に鑑みてなされたものであり、鉄塔、送電線の保守、点検に必須とされるアースフックを運搬するのに適した工具袋としての機能と、負傷者を搬送する際にアースフックを構成する棒材を利用した担架としての機能を併有した担架兼用工具バッグを提供することを目的としている。
【課題を解決するための手段】
【０００６】
上記目的を達成するため、請求項１の発明は、略四辺形の工具バッグ本体と、面内に被収容物を収容した状態で丸めた該工具バッグ本体の外面を縛束する背負いバンドと、を備えた工具バッグであって、前記工具バッグ本体の対向する２つの端縁には夫々棒材を着脱自在に保持する棒材保持部を備えていることを特徴とする。
各棒材保持部に棒材を保持することにより担架の担ぎ棒として利用することができるため、同行者が二人しかいない場合であっても、二人によって安定して負傷者を搬送することが可能となる。負傷者も楽な姿勢を維持して長時間の搬送に耐えることが可能となる。
請求項２の発明は、前記棒材保持部は、被収容物を収容する収容部を兼ねていることを特徴とする。
棒材保持部は、収容部を兼ねているため、鉄塔、送電線の保守点検に必須の工具である長尺物としてのアースフックセットを収容して運搬するのに適している。
【０００７】
請求項３の発明は、前記棒材保持部は、前記工具バッグ本体の前記２つの端縁に夫々配置された棒材保持専用の筒状部、又は複数の紐から成ることを特徴とする。
専用の棒材保持部を備えていることにより、工具バッグと位置ずれすることなく、棒材を保持することができ、運搬性を高めることができる。
請求項４の発明は、前記工具バッグ本体の一面には被収容物を収容するための収容部が形成され、他面はフラットに構成されていることを特徴とする。
工具バッグ本体の他面はフラットに構成されているため、担架として使用する際には平坦面に負傷者を横臥させることができ、苦痛を低減することができる。
請求項５の発明は、前記工具バッグ本体の対向する他の２つの端縁には夫々ハンモック用吊り具を取り付けるための取付け部を備えていることを特徴とする。
作業員が休息をとる際に樹木間に吊して快適な寝床としても利用することができる。
【発明の効果】
【０００８】
本発明によれば、略四辺形の工具バッグ本体の対向する２つの端縁に夫々棒材を着脱自在に保持する棒材保持部を設けたので、鉄塔、送電線の保守、点検に必須とされるアースフックを運搬するのに適した工具袋としての機能と、負傷者を搬送する際にアースフックを構成する棒材を利用した担架としての機能を併有することができる。更に、ハンモック用吊り具を併用することにより、ハンモックとしても利用することができる。
【図面の簡単な説明】
【０００９】
【図１】（ａ）（ｂ）及び（ｃ）は本発明の一実施形態に係る担架兼用工具バッグの構成を示す正面図、背面図、及びＡ−Ａ断面図である。
【図２】（ａ）（ｂ）及び（ｃ）は担架兼用工具バッグの収容部にアースフックを収容した状態の正面図、担架兼用工具バッグを丸めた状態の説明図、及びアースフックセットの一例を示す図である。
【図３】背負いバンドの構成例を示す図である。
【図４】（ａ）（ｂ）及び（ｃ）は本発明の担架兼用工具バッグを担架に転用する場合の説明図である。
【図５】（ａ）は棒材保持専用の棒材保持部を備えた工具バッグの構成例を示す説明図であり、（ｂ）はその変形例の要部構成説明図である。
【図６】ハンモック用吊り具の構成説明図である。
【図７】（ａ）及び（ｂ）はハンモックとしての使用例を示す説明図である。
【発明を実施するための形態】
【００１０】
以下、本発明を図面に示した実施の形態により詳細に説明する。
図１（ａ）（ｂ）及び（ｃ）は本発明の一実施形態に係る担架兼用工具バッグの構成を示す正面図、背面図、及びＡ−Ａ断面図であり、図２（ａ）（ｂ）及び（ｃ）は担架兼用工具バッグの収容部にアースフックを収容した状態の正面図、担架兼用工具バッグを丸めた状態の説明図、及びアースフックセットの一例を示す図であり、図３は背負いバンドの構成例を示す図であり、図４（ａ）（ｂ）及び（ｃ）は本発明の担架兼用工具バッグを担架に転用する場合の説明図である。
【００１１】
担架兼用工具バッグ１は、帆布等の丈夫な材質から成る略四辺形の工具バッグ本体２と、面内に被収容物を収容した状態でロール状に丸めた工具バッグ本体２の外周を縛束する（縛って束ねる）背負いバンド３０と、から概略構成されている。
工具バッグ本体２は、ベースとなる一枚の帆布製のシート基材３と、シート基材の表面に縫製等によって固定されることによって半円筒状の袋状の収容部５を形成する帆布製の布片４と、布片４をシート基材３に縫い付ける際の縫い代に沿ったシート基材裏面（その他の任意の部位）に添設されて布片４と共に縫い付けられる皮革シート、樹脂シート等からなる補強部材６と、シート基材３の長手方向両端縁に突設された皮革製の突片１０と、シート機材の裏面に固定された固定バンド１３と、を概略有している。
本例では、シート基材の幅方向両端部と中間部に夫々収容部５を備えており、各収容部５はアースフック５０を構成する絶縁製の２本の棒材（操作棒）５１、及び３本の接地金具付きアース線５５を収容できるように寸法、形状が設定されている。棒材５１は伸長時の長さが例えば２．５ｍ程度の吊り竿式に伸縮自在なエポキシパイプであり、複数のパイプ片を伸縮自在に構成すると共に、任意の長さにて固定できるように構成されている。
【００１２】
収容部５は、少なくとも長手方向両端部が開口しており、開口部から工具、資材などの被収容物を出入れできるように構成されている。なお、中間部に位置する収容部５の開口部は一端部のみに設けても良い。また、収容部の表面側にファスナー５ａによって開閉される開口を形成し、端部の開口部以外からの被収容物の出入れを可能としてもよい。
収容部５を形成しないシート基材裏面は、担架として利用する際に負傷者を乗せる面となるため、凹凸の少ないフラットな面とする。
突片１０は穴部１０ａを備え、図２（ａ）に示したように谷折り線Ｌに沿って工具バッグ本体の長手方向両端部を谷折りしたときに、収容部５の表面に固定した紐、クリップ等の係止具１１を穴部１０ａ内に差し込んで縛ったり、ロックすることにより、収容部端部の開口部を塞ぐように構成されている。突片１０を強度の高い皮革にて構成すると共に、穴部１０ａの内周にハトメ等の任意の補強を施すことにより破断しにくい構成とする。
【００１３】
背負いバンド３０は、図２（ｂ）、図３に示すように、丸めた状態にある工具バッグ本体２を縛ってコンパクト化して背負い易くするための手段であり、工具バッグ外面に巻き付けて端部の固定具（例えば、ベルベットクロス＝マジックテープ（登録商標））３１を利用して固定する複数本のバンド本体３１と、バンド本体３１間に差し渡される背負いバンド３２と、から構成されている。
なお、固定バンド１３も同様に丸めた状態にある工具バッグ本体２を縛ってコンパクト化する手段であり、背負いバンドとの併用により工具バッグ本体内に収容した工具等を固定することができる。
工具バッグ本体２は、収容部５内に工具、資材等、任意の被収容物を収容した状態で、収容部の両端部を谷折り線Ｌにて折り曲げてから、係止具１１を利用して突片１０を固定することにより開口部を閉止し、更に図２（ｂ）に示すように収容部５を内側にして工具バッグを丸め、その後固定バンド１３、背負いバンド３０によって工具バッグ全体をコンパクトに縛ることにより運搬可能な状態となる。収容部の開口部は突片１０及び係止部１１により閉止されているため、運搬中に収容部内の被収容物が開口部から落下する虞はない。
【００１４】
本発明においては、工具バッグ本体２の幅方向両端縁に沿って配置された半円筒状の収容部５は、アースフックを構成する棒材５１を着脱自在に保持する棒材保持部１５としての機能を併有している。即ち、図４（ａ）に示すようにこの工具バッグ１は、山岳地帯等での作業中に負傷者が発生した時に負傷者を搬送するための担架に転用するために、幅方向両端部に位置する収容部５に工具バッグ本体の長手方向寸法を超える適度な長さに調整した担ぎ棒としての棒材５１を差し込んで、収容部５の両端部から夫々突出した棒材の端部を夫々一人ずつの運搬者が把持できるように構成されている。
収容部５は、アースフックの棒材５１のみならず、竿状の検電器、その他任意の器具、工具、資材を収容するように構成することができる。また、収容部５は、工具バッグ本体の長手方向に延びる筒状である必要はなく、収容しようとする工具の形状に応じてポケット状、その他、任意の形状の収容部を設けることができる。
次に、棒材５１の径よりも収容部５の内径が大きいために収容部内面と棒材が密着せず、棒材に対して収容部が位置ずれ、挫屈を起こすことを防止するために、図４（ａ）（ｂ）に示すように収容部の両端開口部に紐、ワイヤ等の固定手段１２を固定しておき、この固定手段によって棒材５１を固定するようにしてもよい。或いは、突片１０に設けた穴部１０ａを利用して紐、ワイヤ等によって棒材を縛り付けるようにしてもよい。
なお、棒材保持部１５としての収容部５に挿通する棒材は、必ずしもアースフック用の棒材である必要はなく、手頃な木の枝等があれば、これを利用しても良い。
【００１５】
上記実施形態では、収容部５を担架の担ぎ棒として利用する棒材５１を支持する棒材保持部として兼用する構成例を示したが、棒材保持専用の棒材保持部を予め工具バッグ本体２の端部に設けておいてもよい。即ち、図５（ａ）は棒材保持専用の棒材保持部を備えた工具バッグの構成例を示す説明図であり、工具バッグ本体２の幅方向両端部には棒材５１を挿通支持するのに適した内径を有した中空円筒状の棒材保持部（筒状部）１５が、収容部５とは別個にシート基材３に一体化されている。棒材保持部１５は、シート基材端部を円筒状に丸めて縫製したり、収容部５と同様にシート片を縫い付けることによって形成できる。棒材保持部１５は、図示したように工具バッグ本体端縁に沿って部分的に形成してもよいし、全長に亘って形成してもよい。棒材保持部１５を端縁に沿って部分的に形成する場合には、工具バッグ全体の軽量化を図ることが可能となる。
このように棒材の外周面と内周面で密着するように円筒状の棒材保持部１５の寸法を予め設定しておくことにより、棒材が棒材保持部内で軸方向に位置ずれしたり、工具バッグ本体が挫屈することがなくなる。なお、念のために棒材保持部１５の適所に紐、ワイヤ等の固定手段１２を設けておき、挿通した棒材を固定するようにしてもよい。
【００１６】
或いは、図５（ｂ）に示すように、円筒状の棒材保持部に代えて、工具バッグ本体２の幅方向端縁に沿って紐、ワイヤ等１６から成る棒材保持部１５を複数箇所固定しておき、紐等によって棒材５１を縛束して工具バッグ本体に固定するようにしてもよい。この場合には、工具バッグ本体の構成をシンプル化、軽量化することができるし、アースフックを構成する棒材以外の棒材（木の枝等）を適宜担架の担ぎ棒として利用することができる。つまり、筒状の棒材保持部の場合には、挿通可能な棒材の径や形状が限定されるが、紐等から成る棒材保持部の場合には径や形状（多少の凸部、屈曲部の存在）に関係なく木の枝、その他の長尺な棒材を縛り付けることができるため、適用可能な棒材の範囲を拡大することができる。
工具バッグ本体２は帆布等の強度の高い布材から構成されているとはいえ、人間を乗せて搬送する場合には撓み変形して乗り心地と、取扱性を悪化させる虞があるが、両端縁を担ぎ棒としての棒材５１によって支持されているため、工具バッグ本体の変形（特に、長手方向への撓み変形や挫屈）を最小限に抑えることができ、負傷者側の乗り心地と、運搬する者による取扱性を安定させることができる。
また、工具バッグ本体上に負傷者を乗せる際に、収容部５が存在しない平坦な裏面側に乗せることにより、収容部の存在に起因した凹凸による違和感のない寝心地を確保することができる。また、工具バッグ本体に固定された背負いバンド３０により工具バッグ上に載せられた負傷者を縛束固定することにより、負傷者が落下することを防止できる。
【００１７】
次に、図６は付属品としてのハンモック用吊り具の構成例を示す図であり、図７（ａ）及び（ｂ）はハンモックとしての使用例を示す説明図である。
ハンモック用吊り具４０を用いて工具バッグ１を樹木、鉄塔の骨材５０等に吊り下げてハンモックとして利用することができる。即ち、負傷者を安静状態に休息させたり、作業者が休憩中に利用するための寝床（休息場所）として工具バッグを利用するために、ハンモック用吊り具を利用することが有効である。即ち、山岳地帯での作業においては疲労回復のための休息時に草むらに横になることが多いが、害虫に刺される等の危険が常にある。そこで、地面から離隔した空中に工具バッグを吊してハンモックとして利用することによりそのような被害を低減することが可能となる。或いは、負傷者を安静な状態にて休息させる場合にもハンモックは有効である。
即ち、ハンモック用吊り具４０は、リング等の金具４１と、金具４１により一端を支持された複数本の吊り紐４２と、金具４１によって一端を支持された取付け紐４３と、各紐の端部に固定されたカラビナ、シャックル等の係止具４４と、を備えている。二個のハンモック用吊り具４０を用いることにより工具バッグ１を樹木間、或いは鉄塔の骨材５０間に吊り下げてハンモックとして利用することが可能となる。
【００１８】
各吊り紐４２を展開した工具バッグ１の突片１０に設けた各穴部（ハンモック用吊り具取付け部）１０ａに係止具４４を係止することにより、ハンモック用吊り具４０と工具バッグ１との連結が簡単に完了する。また、取付け紐４３は、係止具４４を利用して樹木の適当な幹や枝、或いは鉄塔の鉄骨に係止されることにより、工具バッグ１をハンモック状に吊り下げることが可能となる。
通常の移動時にはハンモック用吊り具４０は、コンパクトに束ねて図２（ｂ）中に示した付属品袋４５に収納して運搬することができる。ハンモック用吊り具４０は、軽量であるため、運搬時の支障となることもない。
なお、工具バッグ本体の面上に工具等を載せた状態で工具バッグ本体を丸め込んで背負いバンド３０によって縛ることにより工具類の脱落を防止することが十分にできるので、収容部５は必須ではない。収容部５を設けないことにより、工具バッグの構成をシンプル化してコストダウンを図れるばかりでなく、軽量化できるので、山岳地帯を移動する際の労力の低減に貢献することができる。
【００１９】
以上のように本発明に係る担架兼用工具バッグによれば、略四辺形の工具バッグ本体２と、面内に被収容物を収容した状態で丸めた工具バッグ本体の外面を縛束する背負いバンド３０と、を備え、工具バッグ本体の対向する２つの端縁には夫々棒材５１を着脱自在に保持する棒材保持部１５を備えているため、各棒材保持部に棒材を支持して担架の担ぎ棒として利用することができ、同行者が二人しかいない場合であっても、二人によって安定して負傷者を搬送することが可能となる。
また、棒材保持部は、工具等の収容部を兼ねているため、鉄塔、送電線の保守点検に必須の工具であるアースフックを収容して運搬するのに適している。
また、専用の棒材保持部を備えた構成とすることにより、工具バッグと位置ずれすることなく、棒材を保持することができ、運搬性を高めることができる。
また、工具バッグ本体の他面はフラットに構成されているため、担架として使用する際には平坦面に負傷者を横臥させることができ、苦痛を低減することができる。
また、工具バッグ本体の対向する他の２つの端縁には夫々ハンモック用吊り具を取り付けるための取付け部を備えているため、作業員が休息をとる際に樹木間に吊して快適な寝床としても利用することができる。
【符号の説明】
【００２０】
１  担架兼用工具バッグ、２  工具バッグ本体、３  シート基材、４  布片、５  収容部、６  補強部材、１０  突片、１０ａ  穴部、１１  係止具、１２  固定手段、１３  固定バンド、３０  背負いバンド、３１  バンド本体、１５  棒材保持部、５０  アースフック、５１  棒材、５５  アース線
【図１】
2010274944.tif 000003
【図２】
2010274944.tif 000004
【図３】
2010274944.tif 000005
【図４】
2010274944.tif 000006
【図５】
2010274944.tif 000007
【図６】
2010274944.tif 000008
【図７】
2010274944.tif 000009